(57)【要約】【課題】赤外線リモコンによりコンピューターシステムを制御する方法とその装置を提供する。【解決手段】本方法は、先ず、赤外線リモコンにより、第一信号を発信する。次に、コンピューターシステムのキーボード中の赤外線受信器により、第一信号を受信し、第一信号に従って、第二信号を生成する。その後、第二信号に従って、電源制御ピンにより、電源制御チップを起動する。最後に、電源制御チップ中の電源制御器により、コンピューターシステムを起動する。【選択図】        図１
2004164535.tif 000002
【特許請求の範囲】
【請求項１】
赤外線リモコンによりコンピューターシステムを起動する方法であって、
前記赤外線リモコンにより第一信号を発信する工程と、
前記コンピューターシステムのキーボード中の赤外線受信器により、前記第一信号を受信し、前記第一信号に従って第二信号を生成する工程と、
前記第二信号に従って、電源制御ピンにより、電源制御チップを起動する工程と、
前記電源制御チップ中の電源制御器に従って、前記コンピューターシステムを起動する工程と、
からなることを特徴とする方法。
【請求項２】
前記方法は、
前記赤外線リモコンからの前記第一信号を用いて、赤外線装置を備えるキーボードのコンピュ−ターシステムを捜索し、所定時間内に見つかった時、前記赤外線受信器を起動する工程、
を更に含むことを特徴とする請求項１に記載の方法。
【請求項３】
前記第一信号は、前記赤外線リモコンからの捜索信号であることを特徴とする請求項１に記載の方法。
【請求項４】
前記キーボード内の前記赤外線受信器は、キーボードエンコーダーであることを特徴とする請求項１に記載の方法。
【請求項５】
赤外線リモコンによりコンピューターシステムを起動するシステムであって、
第一信号を生成する赤外線リモコンと、
赤外線受信器を備え、前記第一信号を受信し、前記第一信号に従って、第二信号を生成するキーボードと、
前記赤外線受信器に接続され、前記第二信号を受信する電源制御ピンと、
電源制御器を備え、コンピューターシステム内に配置されると共に、前記電源制御ピンに接続され、前記コンピューターシステムを起動する電源制御チップと、
からなることを特徴とするシステム。
【請求項６】
前記赤外線リモコンにより、前記第一信号を発信し、前記コンピューターシステムのキーボード中の赤外線受信器を捜索し、所定時間内に見つかった時、前記赤外線受信器を起動することを特徴とする請求項５に記載のシステム。
【請求項７】
前記キーボード中の前記赤外線受信器は、キーボードエンコーダーであることを特徴とする請求項５に記載のシステム。
【発明の詳細な説明】
【０００１】
【発明の属する技術分野】
本発明は、赤外線リモコンによりコンピューターシステムを起動する方法とそのシステムに関するもので、特に、ユーザーがコンピューターの電源を起動しなくても、赤外線リモコンによりコンピューターシステムを起動する方法とシステムに関するものである。
【０００２】
【従来の技術】
現在、コンピューターシステムは、ユーザーのニーズに対応し、ＴＶ及び  ＤＶＤ再生機能を提供する。リモコンは、ユーザーの操作を便利にし、使い勝手の良い仲立ちとなるオプションである。しかし、コンピューターシステム電源は一般の家電と異なり、如何にして、リモコンによりコンピューターシステム電源を起動させるか、コンピューターシステムの便宜性を向上させるか、が重要な課題となっている。
【０００３】
【特許文献１】
米国特許第６，３７７，８６１号
【特許文献２】
米国特許第５，９４９，４１２号
【特許文献３】
台湾公告第３３１６０８号
【０００４】
【発明が解決しようとする課題】
本発明は、赤外線リモコンによりコンピューターシステムを起動する方法とその装置を提供し、キーパッドに設置されるキーボードエンコーダー（ｋｅｙｂｏａｒｄ  ｅｎｃｏｄｅｒ）は、赤外線リモコンからの信号を受信及び処理し、電源制御ピン（ｐｏｗｅｒ  ｃｏｎｔｒｏｌ  ｐｉｎ）は、コンピューターシステムの電源を制御するのに用いられる。
【０００５】
【課題を解決するための手段】
上述の目的を達成するため、本発明は、赤外線リモコンによりコンピューターシステムを起動する方法とその装置を提供する。先ず、赤外線リモコンにより、第一信号を発信する。次に、コンピューターシステムのキーボード中の赤外線受信器により、第一信号を受信し、第一信号に従って、第二信号を生成する。その後、第二信号に従って、電源制御ピンにより、電源制御チップを起動する。最後に、電源制御チップ中の電源制御器により、コンピューターシステムを起動する。
【０００６】
本発明の具体例によると、赤外線リモコンによりコンピューターを起動する装置を提供する。装置は、赤外線リモコンと、キーボードと、電源制御ピンと、赤外線受信器と、電源制御チップと、電源制御器と、からなる。
【０００７】
赤外線リモコンは、第一信号を生成する。赤外線受信器を備えるキーボードは、第一信号を受信し、第二信号を生成する。電源制御ピンは、赤外線受信器に接続され、第二信号を受信する。電源制御器を備え、コンピューターシステム内に配置される電源制御チップは、電源制御ピンに接続されて、コンピューターシステムを起動する。
【０００８】
【発明の実施の形態】
上述した本発明の目的、特徴、及び長所を一層いっそう明瞭にするため、以下に本発明の好ましい実施の形態を挙げ、図を参照にしながらさらに詳しく説明する。
【０００９】
図１は、本発明の実施例による赤外線リモコンによりコンピューターシステムを起動する方法のフローチャートである。
【００１０】
先ず、工程１０において、赤外線リモコンは第一信号を発信する。コンピューターシステムがオフ状態の時、赤外線リモコン中の起動ボタンがを押されれば、す。工程Ｓ１０において、赤外線リモコンは、例えば、赤外線信号である第一信号を発信する。
【００１１】
その赤外線信号を捜索信号として、赤外線受信器を備えるキーボードのコンピューターシステムがを捜索されする。所定時間内に、赤外線受信器を備えるコンピューターシステムが見つかれば、る。その後、工程Ｓ１２において、その赤外線受信器により第一信号がを受信されする。
【００１２】
赤外線受信器が第一信号を受信する時、第一信号は、キーボードのキーボードエンコーダーである赤外線受信器を起動する。その結果、コンピューターシステムがオフの状態の時、キーボードエンコーダーは作動状態である。キーボードエンコーダーが第一信号を受信する時、キーボードエンコーダーは、第二信号を生成する。
【００１３】
工程１４において、電源制御ピンにより、電源制御チップが起動する。キーボードエンコーダーからの第二信号は、電源制御ピンにより電源制御チップをオンにし、これにより、工程Ｓ１４において、電源制御チップが起動されする。
【００１４】
最後に、工程Ｓ１６において、電源制御器により、コンピューターシステムがを起動されする。具体的に述べれば、電源制御チップを経た第二信号は、電源制御チップを起動し、する。電源制御チップは電源制御器により、コンピューターシステムを起動する。
【００１５】
図２は、本発明の実施例による赤外線リモコンによりコンピューターを起動する装置を示す図である。
【００１６】
前記装置は、赤外線リモコン２０と、キーボード２５と、電源制御ピン３５と、赤外線受信器３０と、電源制御チップ４０と、電源制御器４２と、からなる。
【００１７】
赤外線リモコン２０は、第一信号を生成する。赤外線受信器３０を備えるキーボード２５は、第一信号を受信し、第二信号を生成する。電源制御ピン３５は、赤外線受信器３０に接続され、第二信号を受信する。電源制御器４２を備え、コンピューターシステム４５内に配置される電源制御チップ４０は、電源制御ピン３５に接続されて、コンピューターシステム４５を起動する。
【００１８】
コンピューターシステム４５がオフ状態の時、赤外線リモコン２０中の起動ボタンを押し、赤外線信号である第一信号を生成する。赤外線信号を捜索信号として、赤外線受信器３０を備えるキーボード２５のコンピューターシステム４５を捜索する。第一信号が所定時間内に、キーボード２５中の赤外線受信器３０を見つけた時、第一信号は、キーボードエンコーダーである赤外線受信器３０を起動する。コンピューターシステム４５がオフ状態の時、赤外線受信器３０は作動状態である。赤外線信号は赤外線受信器３０を起動し、赤外線受信器３０は、第二信号を生成する。電源制御ピン３５により、第二信号を受信し、電源制御チップ４０を起動する。電源制御チップ４０は電源制御器４２により、コンピューターシステム４５を起動することが出来る。
【００１９】
本発明では好ましい実施例を前述の通り開示したが、これらは決して本発明をに限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【００２０】
【発明の効果】コンピューターシステムの便宜性を向上させる。
【図面の簡単な説明】
【図１】本発明の実施例による赤外線リモコンによりコンピューターシステムを起動する方法のフローチャートである。
【図２】本発明の実施例による赤外線リモコンによりコンピューターを起動する装置を示す図である。
【符号の説明】
２０…赤外線リモコン、２５…キーボード、３０…赤外線受信器、３５…電源制御ピン、４０…電源制御チップ、４２…電源制御器、４５…コンピューターシステム
【図１】
2004164535.tif 000003
【図２】
2004164535.tif 000004